(57)【要約】【課題】コネクタハウジングをコネクタハウジングロック手段に損傷を与えることなく分離することが可能なコネクタハウジング分離治具を提供する。【解決手段】複数のコネクタハウジング１２の両側部１２ａにおける前後方側にそれぞれ設けられ、係合凹部３２と係合凸部３４の係合によりコネクタハウジング１２を積層して合体するコネクタハウジングロック手段１４を備えた積層ジョイントコネクタ１０にあって、前記コネクタハウジングロック手段１４の係合凹部３２と係合凸部３４の間に差し込まれて係合凹部３２と係合凸部３４の係合状態を解除するこじり操作部４６が設けられたコネクタハウジング分離治具４２において、前記こじり操作部４６が前記コネクタハウジング１２の前後方側に設けられたコネクタハウジングロック手段１４に対応する配置関係になるように複数個設けられている。【選択図】        図６
2005025997.tif 000002
【特許請求の範囲】
【請求項１】
複数のコネクタハウジングの両側部における前後方側にそれぞれ設けられ、係合凹部と係合凸部の係合によりコネクタハウジングを積層して合体するコネクタハウジングロック手段を備えた積層ジョイントコネクタにあって、前記コネクタハウジングロック手段の係合凹部と係合凸部の間に差し込まれて係合凹部と係合凸部の係合状態を解除するこじり操作部が設けられたコネクタハウジング分離治具において、前記こじり操作部が前記コネクタハウジングの前後方側に設けられたコネクタハウジングロック手段に対応する配置関係になるように複数個設けられていることを特徴とするコネクタハウジング分離治具。
【発明の詳細な説明】
【０００１】
【発明の属する技術分野】
本発明は自動車等の内部における各種電装部品間の接続等に用いられるワイヤーハーネスの分岐接続に好適な積層ジョイントコネクタにあって、積層、合体されたコネクタハウジング同士を分離（離脱）するためのコネクタハウジング分離治具に関するものである。
【０００２】
【従来の技術】
上記積層ジョイントコネクタは、図９（Ａ）に示すように、ワイヤーハーネス等を構成する電線Ｗに圧着等により接続された接続用端子を収容する複数の端子収容室２が併設された複数のコネクタハウジング１と、コネクタハウジング１の両側部における前後方側に２個設けられ、コネクタハウジング１を図９（Ｂ）に示すように積層して合体する合計４個のコネクタハウジングロック手段３を備える。各コネクタハウジングロック手段３は、各コネクタハウジング１の対応する位置に設けられた係合凹部４と係合凸部５からなり、一方のコネクタハウジング１側に設けられた係合凹部４とこれに隣接する他方のコネクタハウジング１側の係合凸部５の凹凸係合により前記コネクタハウジング１同士を合体（結合）するように構成されている（例えば、特許文献１参照）。
【０００３】
上記積層ジョイントコネクタは、通常、コネクタハウジング１や接続用端子等を修理、交換する等、保全のために、或いは、コネクタ製造（組立）工程中に回路構成や回路変更に応じて接続用端子を装脱着し、接続用端子数を調整する等のために、一旦、積層、合体されたコネクタハウジング１を分離する必要が生じる。
【０００４】
従来、前記コネクタハウジング１を必要個所で分離する場合には、図１０に示すようなドライバー構造のコネクタハウジング分離治具６を用いて行っている。この分離治具６は、把持部（柄部）（図示せず）に１個の軸状のこじり操作部７が設けられた構造のものであり（例えば、特許文献２参照）、こじり操作部７の先端をコネクタハウジングロック手段３の係合凹部４と係合凸部５の間に差し込み、係合凸部５をこじって係合凹部４から引き離し、係合凹部４と係合凸部５の係合状態を解除するようになっている。
【０００５】
【特許文献１】
実開平５−６５０７３号公報（発明の詳細な説明の項の段落番号００１４乃至００１５、図１、２）
【特許文献２】
特開２００３−５９５７１号公報（発明の詳細な説明の項の段落番号００１８及び図１０、１１）
【０００６】
【発明が解決しようとする課題】
従来のコネクタハウジング分離治具６の構造では、コネクタハウジングの両側部における前後方側にそれぞれ設けられた複数（図示例は片側に２個）のコネクタハウジングロック手段３に一つずつ取り付いて、その係合凹部４と係合凸部５の係合状態を解除する必要がある。このため、例えば、前方側のコネクタハウジングロック手段３における係合凹部４と係合凸部５の係合状態を解除して係合凸部５を係合凹部４から開こうとすると、該ロック手段３に隣接する後方側のコネクタハウジングロック手段３の係合凹部４と係合凸部５に無理な捻り力が作用して、特に係合凸部５の先端係合部分が捻り変形を起こして損傷する恐れがある。
【０００７】
そうすると、前記コネクタハウジング分離治具６によりコネクタハウジングロック手段４の係合状態を解除してコネクタハウジング１を分離した後、再びコネクタハウジング１を積層して合体しようとすると、コネクタハウジングロック手段３が正常に機能せず、コネクタハウジング１を合体することが困難になったり、無理に合体しようとすると、コネクタハウジング１の積層位置がずれたりして、積層ジョイントコネクタを相手方コネクタ等に嵌合するのに支障を来たす恐れがあった。また、コネクタハウジング１を分離する際、コネクタハウジングロック手段３の係合状態を一つずつ解除しなければならず、コネクタハウジング１の分離作業能率が低下するという問題があった。
【０００８】
本発明は上記課題を解決し、コネクタハウジングをコネクタハウジングロック手段に損傷を与えることなく能率よく分離すると共に、分離したコネクタハウジングを正しい積層位置に無理なく容易に積層して合体することができるコネクタハウジング分離治具を提供することを目的とするものである。
【０００９】
【課題を解決するための手段】
上記目的を達成するために、本発明は、複数のコネクタハウジングの両側部における前後方側にそれぞれ設けられ、係合凹部と係合凸部の係合によりコネクタハウジングを積層して合体するコネクタハウジングロック手段を備えた積層ジョイントコネクタにあって、前記コネクタハウジングロック手段の係合凹部と係合凸部の間に差し込まれて係合凹部と係合凸部の係合状態を解除するこじり操作部が設けられたコネクタハウジング分離治具において、前記こじり操作部が前記コネクタハウジングの前後方側に設けられたコネクタハウジングロック手段に対応する配置関係になるように複数個設けられていることを特徴とするものである。
【００１０】
このような構成によると、コネクタハウジングを分離する際、前記こじり操作部がコネクタハウジングの前後方側にそれぞれ設けられた複数のコネクタハウジングロック手段に同時に取り付いて、その係合凹部と係合凸部の係合状態を同時に解除することが可能になる。
【００１１】
その結果、一方のコネクタハウジングロック手段の係合状態を解除する際、これに隣接する他方のコネクタハウジングロック手段の係合凹部と係合凸部に無理な捻り力が作用せず、特に係合凸部の先端係合部分が捻り変形を起こして損傷することがなくなる。従って、本発明のコネクタハウジング分離治具によりコネクタハウジングロック手段の係合状態を解除してコネクタハウジングを分離した後、再びコネクタハウジングを積層して合体する際、コネクタハウジングロック手段が正常に機能して、コネクタハウジングを無理なく容易に、且つ、積層位置ずれを生じることなく正常位置に合体することが可能になり、積層ジョイントコネクタを相手方コネクタ等に円滑に嵌合して接続することができる。更に、複数の隣接するコネクタハウジングロック手段の係合状態を同時に解除することが可能になるので、コネクタハウジングの分離作業能率を向上させることができる。
【００１２】
【発明の実施の形態】
次に、本発明の実施形態を図面により詳細に説明する。先ず本発明の使用対象となる積層ジョイントコネクタ１０の一例を図１乃至５に基づいて説明すると、このコネクタ１０は、複数（図示例は１０個）のプラスチック製のコネクタハウジング１２と、これらコネクタハウジング１２を上下方向に複数段（図示例は１０段）に積層して合体するプラスチック製のコネクタハウジングロック手段１４とを備える。
【００１３】
コネクタハウジング１２は、ワイヤーハーネス等を構成する電線Ｗに圧着等により接続された複数（図示例では１０個）の雌状の接続用端子１８を収納する複数（図示例では１０室）の端子収容室１６が横方向に単層に併設される。また、コネクタハウジング１２は、端子収容室１６の後方側が上方に開口されており、図４に示すように、端子収容室１６の前方側における一方の壁、即ち、上壁１６ａには、例えば、端子収容室１６の長手方向に形成された一対のスリット２０（図３（Ａ）参照）により、基先端が前記上壁１６ａに支持される両持ち構造で、背中側に厚肉となる肉盛り部２４（図３乃至５等参照）と、内側に接続用端子１８の先端側上部に突設されたタブ状の係止受部１８ａ（図４参照）に係合される係止爪２６が形成されたプラスチック製の弾性係止片からなるランス２２が設けられる。
【００１４】
前記ランス２２の位置に対応する端子収容室１６の反対側の他方の壁、即ち、下壁１６ｂには、図３（Ｂ）、４に示すように、隣接する他方（下段）のコネクタハウジング１２の端子収容室１６に接続用端子１８が挿入された場合（図４参照）、接続用端子１８の係止受部１８ａに係止爪２６が当接し、上方に少し持ち上げられるランス２２の肉盛り部２４を受け入れて、ランス２２が外側に変位するのを許容するスリット状の細穴からなるランス受入部２８が設けられる。接続用端子１８の係止受部１８ａがランス２２の係止爪２６に係合することにより、ランス２２の肉盛り部２４が下がり、接続用端子１８がランス２２に係合し、端子収容室１６から抜けないように固定される。
【００１５】
コネクタハウジング１２における端子収容室１６のランス２２よりも後方に位置する下壁１６ｂの外側（下側）には、図２、図３（Ｂ）に示すように、例えば角型の係止突起３０が突設され、これが該コネクタハウジング１２に積層される他方（下段）のコネクタハウジング１２に収容された接続用端子１８の係合部１８ｂ（図４参照）に当接して係合することにより、接続用端子１８の端子収容室１６からの抜け防止（ランス２２による抜け防止と合わせて二重係止機能を有する）と半挿入検知を行うことができるようになっている。なお、３１は端子収容室１６の前壁１６ｃに設けられた相手方コネクタ等（図示せず）の接続バー（雄端子）が挿入される接続バー挿入穴である。
【００１６】
コネクタハウジングロック手段１４は、図１（Ｂ）、図３、図５に示すように、コネクタハウジング１２の両側部１２ａにおける前後方側の例えば上部に設けられた係合凹部３２と、これに対応する例えば下部に設けられた係合凸部３４とからなり、一方（下段）のコネクタハウジング１２に設けられた係合凹部３２と積層される他方（上段）のコネクタハウジング１２に設けられた係合凸部３４を係合するように構成される。更に詳細に説明すると、係合凹部３２は横方向に開口するコ字状の凹溝からなり、係合凸部３４は両側部１２ａより下方へ突出する直線状係止片の先端に係合凹部３２に係合する先端係合部分である内向き爪３４ａが形成される。
【００１７】
更に、前記コネクタハウジング１２の両側部１２ａにおける前後方側に設けられたコネクタハウジングロック手段１４間の例えば上部には、図１（Ｂ）、３に示すように、積層されたコネクタハウジング１２同士の相対移動を拘束する矩形状の案内凹溝３６が設けられ、これに対応する例えば両側部１２ａの下部には、案内凹溝３６に嵌合する矩形板状の案内リブ３８が下方に突出して設けられ、一方のコネクタハウジング１２の案内凹溝３６に、積層される他方のコネクタハウジング１２の案内リブ３８が挿脱自在に嵌着される。
【００１８】
積層ジョイントコネクタ１０を組み立てる場合には、電線Ｗに接続された接続用端子１８を、コネクタハウジング１２を積層する前に、その端子収容室１６に予め挿入して収容しておき、その後、複数のコネクタハウジング１２同士を下段側から順次積層し、コネクタハウジングロック手段１４で合体し、このようにしてコネクタハウジング１２同士の積層、合体が終了した後、最上段のコネクタハウジング１２の上に、コネクタハウジング１２の大きさに合わせた矩形板状のカバー４０を装着することにより行う。
【００１９】
本発明の使用対象となる積層ジョイントコネクタ１０の構成は以上の通りである。次に、この積層ジョイントコネクタ１０のコネクタハウジング１２を分離するコネクタハウジング分離治具４２の一実施形態を図６により説明する。
【００２０】
このコネクタハウジング分離治具４２は、例えば、矩形ブロック状の把持部（柄部）４４と、把持部４４から前方へ突出するように複数個（図示例は２個）設けられた、例えば、矩形板状のこじり操作部４６とから構成される。各こじり操作部４６はそれぞれ先端を上方へ所定角度屈曲させたフック爪４６ａが形成され、前記コネクタハウジング１２の両側部１２ａにおける前後方側に設けられたコネクタハウジングロック手段１４に対応する配置関係になるように、即ち、これらコネクタハウジングロック手段１４の離間距離にほぼ等しくなるように離間して設けられ、前記コネクタハウジングロック手段１４の係合凹部３２と係合凸部３４の間に差し込まれて係合凹部３２と係合凸部３４の係合状態を解除する機能を有する。
【００２１】
次に、コネクタハウジング分離治具４２の使用方法を説明する。先ず、積層ジョイントコネクタ１０の分離すべきコネクタハウジング１２同士を合体する４個のコネクタハウジングロック手段１４において、一方の側部１２ａの前後方側に設けられた２個のコネクタハウジングロック手段１４に、図７に示すように、コネクタハウジング分離治具４２の２個のこじり操作部４６を対向配置する。
【００２２】
次に、各こじり操作部４６のフック爪４６ａを各コネクタハウジングロック手段１４の係合凹部３２と係合凸部３４間に差し込み、把持部４４、即ち、こじり操作部４６を図７の時計方向（下方向）に回動して係合凸部３４をこじり開け、図８に示すように、係合凹部３２から引き離して係合凹部３２と係合凸部３４の係合状態を解除する。
【００２３】
次に、図示省略するが、他方の側部１２ａの前後方側に設けられた２個のコネクタハウジングロック手段１４に、前記と同様にしてコネクタハウジング分離治具４２の２個のこじり操作部４６を対向配置し、同様なコネクタハウジング分離治具４２の操作で他方の２個のコネクタハウジングロック手段１４の係合状態も同様に解除する。
【００２４】
このようにして、分離を必要とするコネクタハウジング１２の両側部１２ａに設けられた４個のコネクタハウジングロック手段１４の係合状態をすべて解除することにより、前記コネクタハウジング１２同士を分離する。このようなコネクタハウジング分離治具４２を用いることにより、コネクタハウジング１２を分離する際、この前後方側にそれぞれ設けられた２個のコネクタハウジングロック手段における係合凹部３２と係合凸部３４の係合状態を同時に解除することが可能になり、コネクタハウジングロック手段１４の係合状態を解除する際、係合凸部３４に無理な捻り力が作用せず、特に先端係合部分である内向き爪３４ｂが捻り変形を起こして損傷することがなくなる。
【００２５】
なお、コネクタハウジング分離治具４２のこじり操作部４６は上記実施形態では２個設けられているが、コネクタハウジング１２の前後方側に設けられたコネクタハウジングロック手段１４の個数に対応して任意の個数（３個以上）設けることができる。
【００２６】
【発明の効果】
以上説明したように、本発明のコネクタハウジング分離治具によると、積層ジョイントコネクタにおけるコネクタハウジングロック手段の係合凹部と係合凸部の間に差し込まれて係合凹部と係合凸部の係合状態を解除するこじり操作部が前記コネクタハウジングの前後方側に設けられたコネクタハウジングロック手段に対応する配置関係になるように複数個設けられているので、コネクタハウジングを分離する際、前記こじり操作部がコネクタハウジングの前後方側にそれぞれ設けられた複数のコネクタハウジングロック手段に同時に取り付いて、その係合凹部と係合凸部の係合状態を同時に解除することが可能になる。
【００２７】
その結果、一方のコネクタハウジングロック手段の係合状態を解除する際、これに隣接する他方のコネクタハウジングロック手段の係合凹部と係合凸部に無理な捻り力が作用せず、特に係合凸部の先端係合部分が捻り変形を起こして損傷することがなくなる。従って、本発明のコネクタハウジング分離治具によりコネクタハウジングロック手段の係合状態を解除してコネクタハウジングを分離した後、再びコネクタハウジングを積層して合体する際、コネクタハウジングロック手段が正常に機能して、コネクタハウジングを無理なく容易に、且つ、積層位置ずれを生じることなく正常位置に合体することが可能になり、積層ジョイントコネクタを相手方コネクタ等に円滑に嵌合して接続することができる。更に、複数の隣接するコネクタハウジングロック手段の係合状態を同時に解除することが可能になるので、コネクタハウジングの分離作業能率を向上させることができる。
【図面の簡単な説明】
【図１】本発明の使用対象となる積層ジョイントコネクタの一例を示すもので、（Ａ）は正面図、（Ｂ）は右側面図である。
【図２】図１（Ａ）のＸ−Ｘ線矢視断面図である。
【図３】図１の積層ジョイントコネクタを構成するコネクタハウジングを示すもので、（Ａ）は表側から見た斜視図、（Ｂ）は裏側から見た斜視図である。
【図４】積層されたコネクタハウジングの端子収容室に接続用端子が収容され、ランス及び係止突起で抜け止めされた状態を示す拡大断面図である。
【図５】コネクタハウジングロック手段の係合凹部と係合凸部の係合状態を示す拡大断面図である。
【図６】本発明に係るコネクタハウジング分離治具の一実施形態を示す斜視図である。
【図７】図６のコネクタハウジング分離治具のこじり操作部をコネクタハウジングロック手段の係合凹部と係合凸部間に差し込んで、コネクタハウジングロック手段の係合状態を解除しようとしている状態を示す図である。
【図８】図７の状態から、コネクタハウジングロック手段の係合状態を解除した状態を示す図である。
【図９】積層ジョイントコネクタを示すもので、（Ａ）はコネクタハウジングを積層する前の状態の斜視図、（Ｂ）はコネクタハウジングを積層して合体した状態の斜視図である。
【図１０】従来のコネクタハウジング分離治具を用いて、積層ジョイントコネクタにおけるコネクタハウジングロック手段の係合凹部と係合凸部の係合状態を解除する状態を示す説明図である。
【符号の説明】
１０      積層ジョイントコネクタ
１２      コネクタハウジング
１２ａ    側部１２ａ
１４      コネクタハウジングロック手段
１６      端子収容室
１６ａ    上壁
１６ｂ    下壁
１６ｃ    前壁
１８      接続用端子
１８ａ    係止受部
１８ｂ    係合部
２０      スリット
２２      ランス
２４      肉盛り部
２６      係止爪
２８      ランス受入部
３０      係止突起
３１      接続バー挿入穴
３２      係合凹部
３４      係合凸部
３４ａ    内向き爪
３６      案内凹溝
３８      案内リブ
４０      カバー
４２      コネクタハウジング分離治具
４４      把持部
４６      こじり操作部
４６ａ    フック爪
Ｗ      電線
【図１】
2005025997.tif 000003
【図２】
2005025997.tif 000004
【図３】
2005025997.tif 000005
【図４】
2005025997.tif 000006
【図５】
2005025997.tif 000007
【図６】
2005025997.tif 000008
【図７】
2005025997.tif 000009
【図８】
2005025997.tif 000010
【図９】
2005025997.tif 000011
【図１０】
2005025997.tif 000012